(57)【要約】【課題】段窓用のサッシにおいて、無目を室外側に露出させることなく、無目と下窓の上枠間の連結強度及び水密性を良好にする。【解決手段】  上下の窓と、上窓の下枠と下窓の上枠とを連結する無目と、無目と下窓の上枠との間を水密するタイト材と、を備え、下窓の上枠は、室外側見付け壁と室内側見付け壁を有し、下窓の上枠の室外側見付け壁は、上端に室内側に屈曲する屈曲部と、屈曲部の下方に室内側に延設される浮き上がり防止部を有し、無目は、室外側端部に係止部を有し、係止部を下窓の上枠の室外側見付け壁の屈曲部と浮き上がり防止部の間に係止させ、室内側端部を下窓の室内側見付け壁に室内側からネジ止めしてあり、タイト材は、下窓の上枠の屈曲部と無目の室外側面との間に配置されている。【選択図】図２
2015108272.tif 000002
【特許請求の範囲】
【請求項１】
上下の窓と、上窓の下枠と下窓の上枠とを連結する無目と、無目と下窓の上枠との間を水密するタイト材と、を備え、
下窓の上枠は、室外側見付け壁と室内側見付け壁を有し、
下窓の上枠の室外側見付け壁は、上端に室内側に屈曲する屈曲部と、屈曲部の下方に室内側に延設される浮き上がり防止部を有し、
無目は、室外側端部に係止部を有し、係止部を下窓の上枠の室外側見付け壁の屈曲部と浮き上がり防止部の間に係止させ、室内側端部を下窓の室内側見付け壁に室内側からネジ止めしてあり、
タイト材は、下窓の上枠の屈曲部と無目の室外側面との間に配置されている
ことを特徴とするサッシ。
【発明の詳細な説明】
【技術分野】
【０００１】
本発明は、建物に設ける段窓用のサッシに関する。
【背景技術】
【０００２】
従来より、段窓用のサッシは、上窓の下枠と下窓の上枠が無目に対してネジ等により固着されて組付けられた後、無目と上下の窓とで形成される連結部の凹溝にコーキング材を充填するか、パッキングを嵌着して連結部からの雨水の浸入を防止していた。
また、無目と下窓とをその室内側部分において固定ネジで連結固定するとともに、無目と下窓の室外側においてパッキングを挟持して、無目と上下の窓とで形成される連結部の凹溝をパッキングにより被覆してシールして雨水の浸入を防止していた。
【先行技術文献】
【特許文献】
【０００３】
【特許文献１】実公昭６２−２６５４０号公報
【発明の概要】
【発明が解決しようとする課題】
【０００４】
しかしながら、無目と上下の窓とで形成される連結部の凹溝にコーキング材を充填するか、パッキングを嵌着する構成では、コーキングやパッキンの施工不良や経年劣化によりシール性が損なわれて枠内に雨水の浸入が発生したり、雨水の侵入を防止するために無目が下窓の室外側面に露出する構成となってしまい、外観を損ねる等の難点があった。
また、無目と下窓の上枠の室外側においてパッキングを挟持して、無目と上下の窓とで形成される連結部の凹溝をパッキングにより被覆する構成でも、無目と下窓の上枠とが上下方向にパッキングを挟持した状態で連結固定されているので、パッキングの経年劣化による縮み等により無目と上枠との間に上下方向のがたつきが生じ、パッキングと上枠との間から上枠内に雨水が侵入する可能性があった。
【０００５】
本発明は、上記事情を鑑みたものであり、無目を室外側に露出させることなく、無目と下窓の上枠間の連結強度及び水密性を良好にすることができる段窓用のサッシを提供することを目的とする。
【課題を解決するための手段】
【０００６】
本発明は、上下の窓と、上窓の下枠と下窓の上枠とを連結する無目と、無目と下窓の上枠との間を水密するタイト材と、を備え、下窓の上枠は、室外側見付け壁と室内側見付け壁を有し、下窓の上枠の室外側見付け壁は、上端に室内側に屈曲する屈曲部と、屈曲部の下方に室内側に延設される浮き上がり防止部を有し、無目は、室外側端部に係止部を有し、係止部を下窓の上枠の室外側見付け壁の屈曲部と浮き上がり防止部の間に係止させ、室内側端部を下窓の室内側見付け壁に室内側からネジ止めしてあり、タイト材は、下窓の上枠の屈曲部と無目の室外側面との間に配置されていることを特徴とする。
【発明の効果】
【０００７】
本発明によれば、無目と下窓の上枠間の連結強度及び水密性を良好にすることができる。
【図面の簡単な説明】
【０００８】
【図１】本発明の実施形態に係る段窓用のサッシの縦断面図である。
【図２】本発明の第１の実施形態に係る段窓用のサッシの上窓と下窓の連結部の縦断面図である。
【図３】本発明の第１の実施形態に係る段窓用のサッシのタイト材周辺部分の拡大図である。
【図４】本発明の第２の実施形態に係る段窓用のサッシの上窓と下窓の連結部の縦断面図である。
【発明を実施するための形態】
【０００９】
（全体の構成）
本発明のサッシは、上下の窓１，２と、上下の窓１，２を連結する無目３、無目３と下の窓２との間を水密するタイト材４とにより構成されている。
【００１０】
図１に示されている上窓１及び下窓２は、上枠１１，２１、下枠１２，２２及び図示しない縦枠を四周組みし、その内周にガラス等の採光パネルを嵌め込んで構成される嵌め殺しタイプの窓であり、上窓１の上枠１１、下窓２の下枠２２及び図示しない縦枠は、アンカー６１，６２等により建物の開口部に固定されている。
【００１１】
そして、上窓１の下枠１２と下窓２の上枠２１の間には無目３が配置され、ネジ５により連結されている。
なお、本発明における上下の窓１，２は、嵌め殺しタイプの窓に限定されるものではない。
【００１２】
−第１の実施形態−
図２、３は、本発明の第１の実施形態を示し、上窓１の下枠１２と下窓２の上枠２１とを無目３を介して連結している部分の構成を示している。
（上窓の下枠の構成）
上窓１の下枠１２は、室内側見付け壁１２１と、室内側見付け壁１２１の上方部位より室外側に設けられ上方に開口する障子保持部１２２と、障子保持部１２２の下方に設けられる室外側支持部１２３とから構成されている。
【００１３】
室内側見付け壁１２１の下端には室外側に屈曲されてなる室内側屈曲部１２１ａが形成されている。室外側支持部１２３は、障子保持部１２２の下面より垂下する垂下片１２３ａ、垂下片１２３ａの下端より室内側に延設された先端が室内側に屈曲されてなる室外側屈曲部１２３ｂ、垂下片１２３ａの下端より室外側に傾斜状に延設される水切り部１２３ｃ、水切り部１２３ｃの室外側端部より垂下する室外側見付け壁１２３ｄ、室外側見付け壁１２３ｄの下端より室内側に延びる水平片１２３ｅ、水平片１２３ｅの室内側端部より垂下する連結片１２３ｆとからなる。
そして、室内側見付け壁１２１の室内側屈曲部１２１ａと室外側支持部１２３の室外側屈曲部１２３ｂとが対向して下枠を建物の開口部に固定する際にアンカーが係止されるアンカー係止部が構成されている。
【００１４】
（下窓の上枠の構成）
下窓２の上枠２１は、室内側見付け壁２１１と、室外側見付け壁２１２と、室内側見付け壁２１１と室外側見付け壁２１２とを連結する見込み面部２１３とから構成され、全体として上方に開口する溝状をなしている。
室内側見付け壁２１１の上端は室外側に屈曲されて室内側屈曲部２１１ａが形成されるとともに、室外側見付け壁２１２の上端は室内側に屈曲されて室内側屈曲部２１１ａと対向するように室外側屈曲部２１２ａが形成されており、室内側屈曲部２１１ａ及び室外側屈曲部２１２ａにより上枠２１を建物の開口部に固定する際にアンカーに係止されるアンカー係止部が構成されている。
【００１５】
見込み面部２１３は、室内側見付け壁２１１の下方より室内側に向かって見込み方向中間位置付近まで延びる第１水平部２１３ａ、第１水平部２１３ａの室外側に連続して上方に延びる垂直部２１３ｂ、垂直部２１３ｂ上端から室外側に向かって延びて室外側見付け壁２１２の室内側面に接続される第２水平部２１３ｃとからなり、室外側見付け壁２１２と見込み面部２１３の第２水平部２１３ｃ及び垂直部２１３ｂとにより下方に開口するパネル溝が形成されている。
また、室外側見付け壁２１２の室内側の上方には、室外側見付け壁２１２の室内側に接続された第２水平部２１３ｃの上面と室外側屈曲部２１２ａとにより、後述する無目３の係止片３３ｃが挿入される係合溝２１２ｂが構成されている。
【００１６】
（無目の構成）
無目３は、上窓１の下枠１２の室内側見付け壁１２１及び下窓２の上枠２１の室内側見付け壁２１１の両方に室内側から当接する固定板部３１と、固定板部３１の室外側面から上下２箇所より室外側に延びる上面板部３２ａと下面板部３２ｂとを室外側面部３２ｃにより接続してなる断面中空の本体部３２と、本体部３２の室外側面部３２ｃ下方より室外側に延びるとともに上方に向かって開口するタイト材取付溝３３ｂを有する係止部３３とから構成されている。
【００１７】
本体部３２の上面板部３２ａには、無目３の上に上窓１の下枠１２が載置された際に、上窓１の下枠１２の室内側屈曲部１２１ａ及び室外側屈曲部１２３ｂの先端が配される位置に第１突起部３２ｄ及び第２突起部３２ｅが形成され、また、本体部３２の下面板部３２ｂには、下窓２の上枠２１上に無目３が載置された際に、下窓２の上枠２１の室内側屈曲部１２１ａの先端が配される位置に第３突起部３２ｆが形成されている。
そして、第１突起部３２ｄと固定板部３１とにより、上窓１の下枠１２の室内側屈曲部１２１ａが配置される係合溝３２ｇが形成され、第３突起部３２ｆと固定板部３１とにより、下窓２の上枠２１の室内側屈曲部２１１ａが配置される係合溝３２ｈが形成される。
【００１８】
係止部３３は、本体部３２の室外側面部３２ｃ下方より室外側に延びる延設部３３ａと延設部３３ａの室外側端部に設けられ上方に開口するタイト材取付溝３３ｂとからなる。タイト材取付溝３３ｂは、タイト材４が装着された時にタイト材４の室内側に延設部３３ａの室外側端面が当接するように延設部３３ａに対して低く設けられており、また、タイト材取付溝３３ｂの室外側の壁は下方に延設されて上下方向に幅を有する係止片３３ｃとして構成されている。係止片３３ｃの幅は、下窓２の上枠２１の係合溝２１２ｂの底部の幅と同じか若干小さい幅に設定されている。
【００１９】
（連結構造）
上窓の下枠、下窓の上枠及び無目の連結構造について説明する。
下窓２の上枠２１に対して、室内側の斜め上方より無目３の係止部３３が下窓２の上枠２１の係合溝２１２ｂに挿入され、その後、下窓２の上枠２１の室内側見付け壁２１１の上端に形成された室内側屈曲部２１１ａが無目３の本体部３２の下面板部３２ｂ下面の第３突起部３２ｆと固定板部３１により形成される係合溝３２ｈ内に配置されながら無目３が下窓２の上枠２１上に載置される。
【００２０】
このように、無目３の室外側に形成された係止部３３が下窓２の上枠２１に形成された係合溝２１２ｂに挿入されることにより係合溝２１２ｂを構成する第２水平部２１３ｃが下窓２の上枠２１の浮き上がり防止部として作用して上下方向のふらつきが防止できる。
【００２１】
また、無目３の係止部３３が係合溝２１２ｂに挿入されると、無目３の係止部３３のタイト材取付溝３３ｂに装着されたタイト材４が室外側屈曲部２１２ａと無目３の延設部３３ａとに挟まれてその弾性により無目３が室内側に付勢されるが、無目３の第３突起部３２ｆが下窓２の上枠２１の室内側屈曲部２１１ａの先端に当接して無目３が下窓２の上枠２１に対して位置決めされて室内外方向の移動が阻止されるので、接続作業を容易にすることができるとともに、タイト材４による水密がなされる。
【００２２】
さらに、無目３の固定板部３１と下窓２の上枠２１の室内側見付け壁２１１とがネジ５により連結固定されネジ締めされることにより、下窓２の上枠２１の室外側屈曲部２１２ａと無目３の延設部３３ａの室外側面との距離が狭まり、タイト材４が室外側屈曲部２１２ａの先端と無目の室外側面とでさらに押し潰されて下窓２の上枠２１と無目３の間の水密を良好とすることができる。
なお、上記の例では、無目３を下窓２の上枠２１に設置することによってある程度の水密がなされるように無目３の第３突起部３２ｆの位置が設定されているが、第３突起部３２ｆは必ずしも必要なものではなく、また、その位置も特に限定されるものではなく、無目３を下窓２の上枠２１に載置した後に無目３の固定板部３１と下窓２の上枠２１の室内側見付け壁２１１とがネジ５によりネジ締めされることによって、タイト材４が室外側屈曲部２１２ａの先端と無目の室外側面とで押し潰されて、タイト材４による水密がなされるように構成しても良い。
【００２３】
そして、無目３の上に上窓１の下枠１２を載置し、無目３の固定板部３１と上窓１の下枠１２の室内側見付け壁１２１とをネジ５により固定すると共に、無目３の本体部３２の室外側面部３２ｃと上窓１の下枠１２の連結片１２３ｆとをネジ５により固定している。この際、上窓１の下枠１２のアンカー係止部に無目３の上面板部３２ａに設けられた第１突起部３２ｄ及び第２突起部３２ｅが配置されるので、無目３と上窓１の下枠１２との位置決めが容易となる。
【００２４】
上記のように、枠体に設けられているアンカー係止部を利用して無目３に対して位置決めして連結固定ができるとともに、タイト材４による水密を図ることができるので、窓単体として建物の開口部に用いられていた窓を段窓として構成する際に特別な加工が必要とならず、施工が容易である。
【００２５】
上窓１の下枠１２の室外側支持部１２３の水平片１２３ｅと無目３の延設部３３ａとの間には、上窓１の下枠１２の連結片１２３ｆと無目３の室外側面部３２ｃとの連結部を底部とする室外側に開口する溝が形成され、溝の底部にはバックアップ材７が配置されると共に、溝内にコーキング材８が充填されて、無目３と上下の窓１，２の間から雨水等が浸入することを防止している。
【００２６】
−第２の実施形態−
図４は、本発明の第２の実施形態における上窓１の下枠１２と下窓２の上枠２１とを無目３を介して連結している部分の構成を示している。
上窓１と無目３の構成は第１の実施形態と同じであるので、説明を省略する。
【００２７】
（下窓の構成）
第２の実施形態における下窓２の上枠２１は、パネル体を取り付けるためのパネル溝の構成が第１の実施形態と相違しており、パネル溝を形成する水平部を浮き上がり防止片として利用することができない。
そのために、第２の実施形態では、下窓２の上枠２１の室外側見付け壁２１２の室内側面の室外側屈曲部２１２ａの下方位置に浮き上がり防止片２１２ｃが突設されており、浮き上がり防止片２１２ｃと室外側屈曲部２１２ａとにより係合溝２１２ｂが形成されている。
【００２８】
−本発明の実施形態による作用・効果−
以上のように、本発明の実施形態のサッシは、無目３の室外側端部に形成された係止部３３を下窓２の上枠２１の室外側に設けた室外側屈曲部２１２ａと浮き上がり防止片２１２ｃとにより形成される係合溝２１２ｂに挿入して固定するので、無目３の室外側が上下方向にふらつくことがない。
また、無目３の係止部３３を室外側壁面から露出させる必要がないので段窓の室外側を面一にすることができ意匠性がよい。
さらに、無目３の固定板部３１を下窓２の上枠２１の室内側見付け壁２１１に室内側からネジ５により接合して締め付けることによって、無目３の係止部３３に設けられたタイト材４が下窓２の上枠２１の室外側屈曲部２１２ａと無目３の延設部３３ａとによって押し潰されて水密することができ、無目と上下の窓とで形成される連結部の溝内に充填されるコーキング材の施工不良があっても漏水の可能性を低く抑えることができる。
【００２９】
なお、上記第１及び第２の実施形態においては、係合溝２１２ｂを形成する屈曲部として下窓２の上枠２１のアンカー係止部の一部となる室外側屈曲部２１２ａを利用しているが、屈曲部をアンカー係止部とは関係なく別に設けてもよい。
【符号の説明】
【００３０】
１  上窓
１２  下枠
１２１  室内側見付け壁
１２２  障子保持部
１２３  室外側支持部
２  下窓
２１  上枠
２１１  室内側見付け壁
２１２  室外側見付け壁
２１２ａ  室外側屈曲部
２１２ｂ  係合溝
２１２ｃ  浮き上がり防止部
２１３  見込み面部
２１３ｃ  第２水平部（浮き上がり防止部）
３  無目
３１  固定板部
３２  本体部
３３  係止部
３３ａ  延設部
４  タイト材
５  ネジ
【図１】
2015108272.tif 000003
【図２】
2015108272.tif 000004
【図３】
2015108272.tif 000005
【図４】
2015108272.tif 000006